(57)【要約】【課題】放熱性および防水性に優れた照明装置を提供する。【解決手段】照明装置１は、ＬＥＤ３１および筺体１０を備え、筺体１０は、外表面に開口部１３ａが設けられた金属製のダイキャスト品からなる上カバー１２と、開口部１３ａを閉塞する金属製の押出し成形品からなる放熱フィン２０とを含む。上カバー１２の開口部１３ａが設けられた部分の周縁と、放熱フィン２０の基部２１の周縁とは、これらが対向するように配置され、さらにこれらの間にパッキン４３が介在される。パッキン４３が介在された状態で放熱フィン２０が上カバー１２に対して固定されることにより、パッキン４３が、上カバー１２と放熱フィン２０とによって挟持されることでこれらの間の隙間を埋めるべく圧縮された状態とされる。【選択図】図４
2013258102.tif 000002
【特許請求の範囲】
【請求項１】
照明光を外部に向けて出射する光源と、前記光源が収容された筺体とを備えた照明装置であって、
前記筺体は、外表面に開口部が設けられた金属製のダイキャスト品からなる筺体本体と、前記開口部を閉塞する金属製の押出し成形品からなる放熱フィンとを含み、
前記放熱フィンは、平板状の基部と、前記基部の一方の主面から突出して設けられ、前記筺体の外部に露出する複数のフィン部とを有し、
前記筺体本体の前記開口部が設けられた部分の周縁と前記放熱フィンの前記基部の周縁とが対向するように配置されかつこれらの間にパッキンが介在された状態で前記放熱フィンが前記筺体本体に対して固定されることにより、前記パッキンが、前記筺体本体と前記放熱フィンとによって挟持されることでこれの間の隙間を埋めるべく圧縮された状態とされている、照明装置。
【請求項２】
前記光源が、前記放熱フィンの前記基部の他方の主面に取付けられている、請求項１に記載の照明装置。
【請求項３】
前記筺体本体の前記開口部が設けられた部分の周縁に、前記パッキンを受け入れ保持するパッキン収容凹部が設けられている、請求項１または２に記載の照明装置。
【請求項４】
前記光源が、発光ダイオードである、請求項１から３のいずれかに記載の照明装置。
【発明の詳細な説明】
【技術分野】
【０００１】
本発明は、照明光を照射する照明装置に関し、特に屋外に設置されて使用されることが企図された照明装置に関する。
【背景技術】
【０００２】
近年、光源として発光ダイオード（ＬＥＤ：Light-Emitting Diode）を具備した照明装置が普及している。一般に、照明装置においては、光源にて生じる熱を外部に効率的に放熱することが重要である。特に、ＬＥＤを具備した照明装置にあっては、ＬＥＤの温度が一定温度以上の高温に達すると発光効率が大幅に低下するとともにＬＥＤ自体にも劣化が生じ、製品性能および製品寿命に悪影響を与えてしまうことが知られている。
【０００３】
このような傾向は、特に大型の照明装置に具備される出力の大きい高輝度ＬＥＤにおいて顕著であり、効率的にＬＥＤの放熱が行なわれるように照明装置を設計することが極めて重要である。
【０００４】
ＬＥＤにて生じる熱を効率的に放熱することを目的として、たとえば特開２０１１−１５４７８５号公報（特許文献１）には、筺体の外表面において外部に露出するように放熱フィンが設置された構成の屋外用照明装置が開示されている。
【０００５】
当該屋外用照明装置にあっては、筺体内部に収容されたＬＥＤの直上の位置であってかつ筺体の上面に相当する部分に、外部に露出するように放熱フィンが設置されており、これによりＬＥＤにて発生する熱が、当該放熱フィンを介して外部に対して効率的に放熱できるように構成されている。
【先行技術文献】
【特許文献】
【０００６】
【特許文献１】特開２０１１−１５４７８５号公報
【発明の概要】
【発明が解決しようとする課題】
【０００７】
上記特許文献１に開示の屋外用照明装置にあっては、筺体が上カバーと下カバーとに分割されるとともに、放熱フィンが上カバーの一部をフィン形状に形成することで構成されており、当該フィン形状を含む上カバーが、すべてアルミニウム製のダイキャスト品にて構成されている。
【０００８】
ここで、アルミニウム製のダイキャスト品は、比較的高い熱伝導率を有しているものの、照明装置において発生する熱をさらに効率的に放熱するためには、放熱フィンをより高熱伝導率の部材にて構成することが好ましい。たとえば、アルミニウム製のダイキャスト品よりも高熱伝導率を有する部材としては、アルミニウム製の押出し成形品が挙げられる。
【０００９】
屋外に設置されて使用されることが企図された照明装置にあっては、雨水や湿気等が筺体の内部に浸入することが防止できる十分な防水性が要求されるところ、上記のようにアルミニウム製の押出し成形品にて筺体の一部を構成した場合には、押出し成形品からなる部材と、当該部材の押出し方向と直交する端面に対して接合される他の部材との間に防水すべき界面が生じることになる。
【００１０】
しかしながら、当該界面においては、押出し成形品の構造上、上記部材同士を密着して接合することが困難であるため、当該部分において十分な防水性を確保することが困難となってしまう問題が生じる。
【００１１】
したがって、本発明は、上述した問題点を解決すべくなされものであり、放熱性および防水性に優れた照明装置を提供することを目的とする。
【課題を解決するための手段】
【００１２】
本発明に基づく照明装置は、照明光を外部に向けて出射する光源と、上記光源が収容された筺体とを備えたものである。上記筺体は、外表面に開口部が設けられた金属製のダイキャスト品からなる筺体本体と、上記開口部を閉塞する金属製の押出し成形品からなる放熱フィンとを含んでいる。上記放熱フィンは、平板状の基部と、上記基部の一方の主面から突出して設けられ、上記筺体の外部に露出する複数のフィン部とを有している。本発明に基づく照明装置にあっては、上記筺体本体の上記開口部が設けられた部分の周縁と上記放熱フィンの上記基部の周縁とが対向するように配置されかつこれらの間にパッキンが介在された状態で上記放熱フィンが上記筺体本体に対して固定されることにより、上記パッキンが、上記筺体本体と上記放熱フィンとによって挟持されることでこれらの間の隙間を埋めるべく圧縮された状態とされている。
【００１３】
上記本発明に基づく照明装置にあっては、上記光源が、上記放熱フィンの上記基部の他方の主面に取付けられていることが好ましい。
【００１４】
上記本発明に基づく照明装置にあっては、上記筺体本体の上記開口部が設けられた部分の周縁に、上記パッキンを受け入れ保持するパッキン収容凹部が設けられていることが好ましい。
【００１５】
上記本発明に基づく照明装置にあっては、上記光源が、発光ダイオードであることが好ましい。
【発明の効果】
【００１６】
本発明によれば、放熱性および防水性に優れた照明装置とすることができる。
【図面の簡単な説明】
【００１７】
【図１】本発明の実施の形態における照明装置の斜視図である。
【図２】本発明の実施の形態における照明装置の底面図である。
【図３】本発明の実施の形態における照明装置の一部分解斜視図である。
【図４】本発明の実施の形態における照明装置の内部構造および設置状態を示す断面図である。
【発明を実施するための形態】
【００１８】
以下、本発明の実施の形態について、図を参照して詳細に説明する。以下に示す実施の形態は、軒下等、屋外の天井面に設置されることが企図されたいわゆるキャノピー灯に本発明を適用した場合を例示するものである。なお、以下に示す実施の形態においては、同一のまたは共通する部分について図中同一の符号を付し、その説明は繰り返さない。
【００１９】
図１は、本発明の実施の形態における照明装置の斜視図であり、図２は、図１に示す照明装置の底面図である。また、図３は、図１に示す照明装置の一部分解斜視図であり、図４は、図１に示す照明装置の内部構造および設置状態を示す、図１中におけるＩＶ−ＩＶ線に沿った断面図である。
【００２０】
図１ないし図４に示すように、照明装置１は、筺体１０と、ＬＥＤ３１と、駆動部５０Ａ，５０Ｂと、取付部材６０Ａ，６０Ｂとを主として備えている。
【００２１】
筺体１０は、照明装置１の外殻を構成する部位であり、内部に各種構成部品が収容された空間を有している。ここで、筺体１０に収容された各種構成部品には、上述したＬＥＤ３１および駆動部５０Ａ，５０Ｂが主として含まれるが、その詳細については後述する。
【００２２】
筺体１０は、扁平な箱状の形状を有しており、設置状態において水平面内における直交二軸のうちの一方（すなわち前後方向）に合致することとなるＸ軸方向に対して直交して配置された前面および後面と、設置状態において水平面内における直交二軸のうちの他方（すなわち左右方向）に合致することとなるＹ軸方向に対して直交して配置された右側面および左側面と、設置状態において鉛直方向（すなわち上下方向）に合致することとなるＺ軸方向に対して直交して配置された上面および下面とを含んでいる。
【００２３】
筺体１０の上面には、Ｘ軸方向に沿って溝状に延びる凹部１９が設けられており、当該凹部１９は、Ｘ軸方向に沿った筺体１０の両端にまで達している。そのため、筺体１０の上面は、Ｚ軸方向において段差を有することになるが、当該段差を構成する凹部１９の内側面についても、ここでは筺体１０の上面の一部に含めることとする。これにより、筺体１０は、Ｙ軸方向に沿った中央部において高さ（すなわちＺ軸方向の長さ）が低い部位を有することになるとともに、Ｙ軸方向に沿った両側部において高さが高い部位を有することになる。
【００２４】
より具体的には、筺体１０は、上面開口の有底箱状の下カバー１１と、下面開口の有底箱状の上カバー１２と、下カバー１１に取付けられたカバーレンズ１６と、上カバー１２に取付けられた放熱フィン２０とを含んでいる。
【００２５】
ここで、有底箱状の形状を有する下カバー１１の底板部の所定位置には、開口部１１ａが設けられており、カバーレンズ１６は、当該開口部１１ａを閉塞している。また、有底箱状の形状を有する上カバー１２の底板部の所定位置には、開口部１３ａが設けられており、放熱フィン２０は、当該開口部１３ａを閉塞している。
【００２６】
なお、上カバー１２は、上述した筺体１０の上面に設けられた凹部１９を規定する部材であり、上述したＹ軸方向に沿った両側部のうちの右側部に対応する部分を構成する右上カバー部１４Ａと、上述したＹ軸方向に沿った両側部のうちの左側部に対応する部分を構成する左上カバー部１４Ｂと、Ｙ軸方向に沿って中央部に位置する凹部１９の底面を構成する平板状の中央上カバー部１３とを含んでいる。
【００２７】
筺体１０の前面、後面、右側面および左側面は、いずれもその下部が下カバー１１の底板部の周縁から上方に向けて立設された立壁部によって覆われており、その上部が上カバー１２の底板部の周縁から下方に向けて立設された立壁部によって覆われている。
【００２８】
筺体１０の下面は、照明光が下方に向けて照射される照射面を含んでいる。筺体１０の下面の周縁部分は、下カバー１１の底板部によって額縁状に覆われており、筺体１０の下面の上記周縁部分を除く中心部分は、カバーレンズ１６によって覆われている。カバーレンズ１６は、照明光が透過する光透過性の部材にて構成され、好適には樹脂製またはガラス製の部材にて構成される。ここで、当該カバーレンズ１６の露出面が、照明光を下方に向けて照射するための上述した照射面に該当することになる。
【００２９】
筺体１０の上面のうち、上述したＹ軸方向に沿った両側部のうちの右側部に対応する部分は、上カバー１２の右上カバー部１４Ａによって覆われている。右上カバー部１４Ａは、上述した上カバー１２の立壁部の一部を含んでおり、右側部の上面と、右側部に含まれる部分の筺体１０の前面、後面および右側面と、上述した凹部１９の右側に位置する内側面とを覆っている。
【００３０】
筺体１０の上面のうち、上述したＹ軸方向に沿った両側部のうちの左側部に対応する部分は、上カバー１２の左上カバー部１４Ｂによって覆われている。左上カバー部１４Ｂは、上述した上カバー１２の立壁部の一部を含んでおり、左側部の上面と、左側部に含まれる部分の筺体１０の前面、後面および左側面と、上述した凹部１９の左側に位置する内側面とを覆っている。
【００３１】
筺体１０の上面のうち、上述したＹ軸方向に沿った中央部に対応する部分は、上カバー１２の中央上カバー部１３と放熱フィン２０とによって覆われている。中央上カバー部１３は、額縁状の形状を有しており、その周縁部分を除く中心部分に形成された上記開口部１３ａを放熱フィン２０が閉塞している。
【００３２】
放熱フィン２０は、ＬＥＤ３１にて発生する熱を外部に対して放熱するためのものであり、筺体１０の上面に設けられた凹部１９の底面を構成する部分である平板状の基部２１と、当該基部２１の上面から上方に向けて突設された複数のフィン部２２とを有している。
【００３３】
放熱フィン２０は、筺体１０の上面において外部に対して露出するように配設されており、より特定的には、複数のフィン部２２が、筺体１０の上面に設けられた凹部１９内に位置するように配設されている。
【００３４】
これら複数のフィン部２２は、互いに並行するようにＸ軸方向に沿って延びるように設けられている。これにより、複数のフィン部２２の間に形成される通気路となる溝部もＸ軸方向に沿って延在することになり、そのＸ軸方向に沿った両端は、外部に対して開放されることになる。
【００３５】
これにより、照明装置１の動作時においては、ＬＥＤ３１にて発生した熱が複数のフィン部２２の間に形成された溝部内に位置する空気に放熱フィン２０を介して伝熱されることになり、当該部分において発生する上昇気流に乗って当該熱がＺ軸方向に沿って鉛直上方に常時放熱されることになり、また上昇気流が発生することに伴って溝部内には負圧が生じることとなってそのＸ軸方向に沿った両端から空気が導入されることになり、放熱に寄与する空気が常時溝部内に供給されることになる。したがって、上記構成を採用することにより、放熱フィン２０の近傍においてスムーズな空気の流れが実現できることになり、ＬＥＤ３１の効率的な放熱が可能になる。
【００３６】
取付部材６０Ａ，６０Ｂは、筺体１０を天井面１００（図４参照）に固定するための固定具であり、たとえば金属製のプレス成形品にて構成される。取付部材６０Ａ，６０Ｂは、天井面に固定される細長の平板状の取付部と、当該取付部の両端から下方に向けて立設された一対の平板状の吊下部とを有しており、当該吊下部の下端が筺体１０の上面の所定位置に固定されている。
【００３７】
取付部材６０Ａ，６０Ｂの上記取付部の所定位置には、天井面１００にこれを固定するための取付用孔６１が設けられている。これにより、取付部材６０Ａ，６０Ｂが取付用孔６１を用いて図示しない金具等によって天井面１００に固定されることにより、照明装置１が天井面１００に設置されることになる（図４参照）。
【００３８】
上述した筺体１０を構成する下カバー１１、上カバー１２、カバーレンズ１６および放熱フィン２０は、相互にネジ留めされることで一体化されている。ここで、筺体１０の内部の空間は、外部に対して水密に構成されていることが必要であるため、これら部材間には、パッキン等によるシール処理が施されている。なお、当該パッキンを用いたシール処理の詳細については、後述することとする。
【００３９】
筺体１０の内部の空間は、上述した放熱フィン２０の直下に位置する空間と、上述した右上カバー部１４Ａの上面の直下に位置する空間と、上述した左上カバー部１４Ｂの上面の直下に位置する空間との３つの空間を含んでいる。
【００４０】
このうちの放熱フィン２０の直下に位置する空間は、上述した筺体１０の高さの低い部位に対応するものであり、当該空間は、ＬＥＤ３１を含む光源ユニットが収容された光源ユニット収容室１７に該当する。一方、このうちの右上カバー部１４Ａの上面の直下に位置する空間と左上カバー部１４Ｂの上面の直下に位置する空間とは、上述した筺体１０の高さの高い部位に対応するものであり、ＬＥＤ３１を駆動するための駆動回路を含む駆動部５０Ａ，５０Ｂが収容された駆動ユニット収容室１８Ａ，１８Ｂに該当する。
【００４１】
光源ユニットは、光源としての複数のＬＥＤ３１と、当該複数のＬＥＤ３１が実装された基板であるＬＥＤ実装基板３０とを含んでいる。ＬＥＤ実装基板３０は、たとえば筺体１０の形状に合わせて平面視略矩形状とされたプリント配線基板にて構成され、放熱フィン２０の基部２１の下面にたとえばネジ留め等によって固定されている。なお、上記複数のＬＥＤ３１は、ＬＥＤ実装基板３０の下面（すなわち、放熱フィン２０と対面しない方の主面）に実装されている。
【００４２】
ＬＥＤ実装基板３０と放熱フィン２０の基部２１との間には、図示しない高熱伝導性のシートまたは／およびグリス等が介在されている。これにより、ＬＥＤ３１にて発生した熱は、効率的に放熱フィン２０に伝熱されることになり、ＬＥＤ３１の温度が一定温度以上の高温に達してしまうことが防止されている。
【００４３】
ＬＥＤ３１としては、低消費電力でかつ高寿命の高輝度ＬＥＤが使用される。ＬＥＤ３１は、ＬＥＤ実装基板３０の下面上にたとえばアレイ状または千鳥状等のレイアウトにて実装される。なお、ＬＥＤ３１としては、好適には白色発光ダイオードが使用される。
【００４４】
ＬＥＤ実装基板３０の下面に対向する位置には、上述したカバーレンズ１６が配設されている。カバーレンズ１６は、複数のＬＥＤ３１から出射された光に適切に絞りをかけたりあるいは拡散させたりするためのレンズを含んでいる。これにより、複数のＬＥＤ３１から出射された光は、当該カバーレンズ１６を介して下方に向けて放射状に照射されることになり、当該光が照明光となる。
【００４５】
駆動部５０Ａ，５０Ｂは、上述したように複数のＬＥＤ３１を駆動するための駆動回路を含んでおり、駆動回路としては、たとえば交流電力を直流電力に変換するコンバータ回路や、電圧を降圧させる降圧回路、電圧を平滑化させる平滑回路等、商用電源等の外部電源から供給される交流電力を複数のＬＥＤ３１を駆動するのに適した直流電力に変換、調整する各種の回路が含まれる。
【００４６】
なお、駆動部５０Ａ，５０Ｂは、筺体１０の内部に配設された図示しないハーネスによってＬＥＤ実装基板３０に結線されており、さらには当該ＬＥＤ実装基板３０に設けられた配線パターンを介して複数のＬＥＤ３１のそれぞれに電気的に接続されている。また、駆動部５０Ａ，５０Ｂは、筺体１０の内部に配設された図示しないハーネスを介して筺体１０の外表面の所定位置に設けられた図示しない接続端子に結線されており、これにより当該駆動部５０Ａ，５０Ｂには、当該接続端子を介して外部から交流電力が供給される。
【００４７】
ここで、本実施の形態における照明装置１にあっては、上述したように、筺体１０の上部側を覆う部分が上カバー１２と放熱フィン２０とに分割されて構成されている。
【００４８】
すなわち、筺体１０においては、ＬＥＤ３１および駆動部５０Ａ，５０Ｂを含む各種の構成部品を収容するための部位や照明装置１全体を天井面１００に設置するための部位等、複雑な形状の部位をその内部や外部に形成することが必要であるため、形状自由度を担保しつつ成形性を確保する観点から、本実施の形態においては、当該部位を構成する部分である下カバー１１および上カバー１２からなる筺体本体をアルミニウム製のダイキャスト品にて構成することとしている。ここで、アルミニウム製のダイキャスト品の熱伝導率は、一例としてダイキャスト用アルミニウムＡＤＣ１２を使用した場合に９６Ｗ／ｍ・Ｋである。
【００４９】
一方、筺体１０においては、特にＬＥＤ３１にて発生する熱を効率的に外部に対して放熱する必要もあるため、本実施の形態においては、ＬＥＤ３１を含む光源ユニットが取付けられる部分である放熱フィン２０をアルミニウム製の押出し成形品にて構成することとしている。ここで、アルミニウム製の押出し成形品の熱伝導率は、一例として押出し成形用アルミニウム６０６３Ｔ５を使用した場合に２０９Ｗ／ｍ・Ｋであり、一般に上述したアルミニウム製のダイキャスト品の熱伝導率に比べて大幅に高い。
【００５０】
したがって、上記のように構成することにより、複雑な形状の部位を筺体１０に設けつつ、ＬＥＤ３１にて発生する熱を筺体１０（より特定的には、筺体本体である下カバー１１および上カバー１２よりも高熱伝導率を有する放熱フィン２０）を介して効率的に外部に放熱することができ、放熱性を飛躍的に改善することができる。
【００５１】
ここで、上記構成を採用した場合には、前述の通り、上カバー１２と放熱フィン２０との間に防水すべき界面が生じることになる。また、上記構成を採用した場合には、部品点数の増加に伴って組付け作業が煩雑化してしまう問題も生じ、さらには放熱フィン２０を押出し成形品にて構成することに伴って筺体１０の組付構造に様々な制約が生じてしまう。
【００５２】
本実施の形態における照明装置１にあっては、以下に説明する如くの筺体構造を採用することにより、これら問題の解決を図っている。以下においては、図３および図４を参照して、当該筺体構造について詳説する。なお、図４においては、（ａ）に照明装置１の全体の断面図を、（ｂ）に下カバー１１と上カバー１２との組付け部分の拡大断面図を、（ｃ）に上カバー１２と放熱フィン２０との組付け部分の拡大断面図をそれぞれ表わしている。
【００５３】
上カバー１２の開口部１３ａが設けられた部分の周縁には、中央上カバー部１３の上述した額縁状の部分が位置しており、当該額縁状の部分は、平坦な外表面を有している。また、放熱フィン２０の基部２１の下面は、平坦に構成されており、その周縁は、上述した上カバー１２の中央上カバー部１３の額縁状の部分に対向して配置されている。
【００５４】
これら上カバー１２の開口部１３ａが設けられた部分の周縁と放熱フィン２０の基部２１の周縁との間には、たとえばシリコーン樹脂製またはＥＰＤＭ樹脂製等からなる略矩形環状のパッキン４３が介在するように配置されている。これにより、上カバー１２の開口部１３ａを閉塞するように放熱フィン２０が上カバー１２に固定された状態において、当該パッキン４３は、上カバー１２と放熱フィン２０とによって挟持されることになる。
【００５５】
このとき、放熱フィン２０の上カバー１２に対する固定のためのネジ留め作業において適切に締付けトルクを管理することにより、パッキン４３は、上カバー１２と放熱フィン２０とによって圧縮されることになり、これにより当該パッキン４３が介在された部分において、上カバー１２と放熱フィン２０との間の隙間が埋められることでシール性が確保されることになる。
【００５６】
以上のように構成することにより、筺体１０の組付けに際しては、上カバー１２の開口部１３ａが設けられた部分の周縁にパッキン４３を予め配置しておき、この状態で放熱フィン２０を上方から上カバー１２に組付けるという簡便な作業で、これら上カバー１２と放熱フィン２０との間の部分におけるシール処理が行なえることになり、高い防水性と容易な組付け作業との両立が図れることになる。
【００５７】
また、本実施の形態における照明装置１においては、成形の際の形状自由度が高い上カバー１２のパッキン４３に当接する部分に、開口部１３ａを取り囲むように環状溝形状のパッキン収容凹部１３ｂが予め設けられている。これにより、組付けに際して、予めパッキン収容凹部１３ｂにパッキン４３を収容しておくことにより、パッキン収容凹部１３ｂがパッキン４３を受け入れてこれを保持することになるため、その位置決めがより容易に行えることになる。
【００５８】
なお、その詳細な説明については省略するが、本実施の形態における照明装置１にあっては、下カバー１１と上カバー１２との間の界面および下カバー１１とカバーレンズ１６との間の界面においても、上述した上カバー１２と放熱フィン２０との間の界面におけるシール処理のための筺体構造と近似の筺体構造を採用することにより、当該部分におけるシール処理が実現されている。
【００５９】
すなわち、下カバー１１と上カバー１２との間の界面においては、下カバー１１の周縁と上カバー１２の周縁との間に略矩形環状のパッキン４１を介在させ、成形の際の形状自由度が高い下カバー１１の上記周縁に環状溝形状のパッキン収容凹部１１ｂを予め設けてこれにパッキン４１を収容し、下カバー１１の周縁と上カバー１２の周縁とによってパッキン４１を挟持することでパッキン４１によってこれらの間の隙間が封止されるように構成している。また、下カバー１１とカバーレンズ１６との間の界面においては、下カバー１１の周縁とカバーレンズ１６の周縁との間に略矩形環状のパッキン４２を介在させ、成形の際の形状自由度が高い下カバー１１の上記周縁に環状溝形状のパッキン収容凹部１１ｃを予め設けてこれにパッキン４２を収容し、下カバー１１の周縁とカバーレンズ１６の周縁とによってパッキン４２を挟持することでパッキン４２によってこれらの間の隙間が封止されるように構成している。
【００６０】
以上において説明した本実施の形態における照明装置１とすることにより、ＬＥＤ３１にて生じる熱を高熱伝導率を有するアルミニウム製の押出し成形品からなる放熱フィン２０を介して効率的に外部に対して放熱することができることになるともに、筺体本体であるアルミニウム製のダイキャスト品からなる上カバー１２と当該放熱フィン２０との間に生じる界面を簡便な組付け作業によって確実に防水することができることになる。したがって、上記構成を使用することにより、組付けが容易であるとともに放熱性および防水性に優れた照明装置とすることができる。
【００６１】
上述した本発明の実施の形態においては、筺体本体を上カバーと下カバーとに分割して構成した場合を例示したが、筺体本体の構成はこれに限定されるものではなく、さらに複数のカバー体にこれが分割されていてもよい。また、筺体本体の形状は、上述した如くの形状に限定されるものではなく、適宜その形状を変更することが可能である。
【００６２】
また、上述した本発明の実施の形態においては、下カバーおよび上カバーからなる筺体本体をアルミニウム製のダイキャスト品にて構成するとともに、放熱フィンをアルミニウム製の押出し成形品にて構成することとした場合を例示したが、これに限定されるものではなく、筺体本体を他の金属製のダイキャスト品にて構成してもよいし、放熱フィンを他の金属製の押出し成形品にて構成していもよい。なお、当該他の金属としては、鉄や銅、あるいはこれら以外の金属またはこれらの合金等が含まれる。
【００６３】
また、上述した本発明の実施の形態においては、屋外の天井面に設置されることが企図されたキャノピー灯に本発明を適用した場合を例示したが、本発明は、屋外に設置される他のタイプの照明装置にも当然にその適用が可能である。また、本発明は、高い防水性が要求される屋外用照明装置に特に好適に適用されるものであるものの、その適用範囲が屋外用照明装置に限定されるものではなく、屋内に設置されるタイプの照明装置に適用することも当然に可能である。
【００６４】
さらには、上述した本発明の実施の形態においては、光源としてＬＥＤを使用した照明装置に本発明を適用した場合を例示したが、本発明は、放熱を必要とする光源を少なくとも備えた照明装置であれば、どのようなものにも当然にその適用が可能である。
【００６５】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００６６】
１  照明装置、１０  筺体、１１  下カバー、１１ａ  開口部、１１ｂ，１１ｃ  パッキン収容凹部、１２  上カバー、１３  中央上カバー部、１３ａ  開口部、１３ｂ  パッキン収容凹部、１４Ａ  右上カバー部、１４Ｂ  左上カバー部、１６  カバーレンズ、１７  光源ユニット収容室、１８Ａ，１８Ｂ  駆動ユニット収容室、１９  凹部、２０  放熱フィン、２１  基部、２２  フィン部、３０  ＬＥＤ実装基板、３１  ＬＥＤ、４１〜４３  パッキン、５０Ａ，５０Ｂ  駆動部、６０Ａ，６０Ｂ  取付部材、６１  取付用孔、１００  天井面。
【図１】
2013258102.tif 000003
【図２】
2013258102.tif 000004
【図３】
2013258102.tif 000005
【図４】
2013258102.tif 000006